(57)【要約】【課題】看板における動画領域の配置の自由度を確保しつつ、看板全体として動画領域と静止画領域をより一体化して見せることのできる看板装置を提供すること。【解決手段】動画が表示される動画ブロックと、前方へ発光する光源をそれぞれ備えた複数の光源ブロックとを組合せることにより看板装置を構成した。前後方向に沿って見た場合に、光源ブロックのそれぞれの上端から下端までの長さは、動画ブロックの上端から下端までの長さと同一又はｎ倍若しくは１／ｎ倍（ｎは整数）であり、且つ、光源ブロックのそれぞれの左端から右端までの長さは、動画ブロックの左端から右端までの長さと同一又はｍ倍若しくは１／ｍ倍（ｍは整数）となるように構成した。【選択図】図２
2014203030.tif 000002
【特許請求の範囲】
【請求項１】
表示装置及び発光ユニットを備える動画ブロックと、前方へ発光する光源をそれぞれ備えた複数の光源ブロックとを前後方向と直交する平面上において組合せてなる看板装置であって、
前記表示装置は、動画が表示される表示部と、当該表示部を保持する筐体であって前記前後方向に沿って見た場合に前記表示部の外周部を覆うフレームを有する筐体とを備えており、
前記発光ユニットは、発光ユニット用光源と、当該発光ユニット用光源の光を導く導光体とを有しており、
前記導光体は、前記発光ユニット用光源の光を前記導光体の前面に導くものであり、
前記導光体の前記前面は、前記前後方向において少なくとも前記フレームの前面を覆うように配置されており、
前記前後方向に沿って見た場合に、前記光源ブロックのそれぞれの上端から下端までの長さは、前記動画ブロックの上端から下端までの長さのｎ倍若しくは１／ｎ倍（ｎは整数）であり、且つ、前記光源ブロックのそれぞれの左端から右端までの長さは、前記動画ブロックの左端から右端までの長さのｍ倍若しくは１／ｍ倍（ｍは整数）となるように構成されている
看板装置。
【請求項２】
請求項１に記載の看板装置であって、
前記前後方向に沿って見た場合に前記看板装置が四角形の外形を有するように、前記動画ブロック及び前記光源ブロックは、組み合わされている
看板装置。
【請求項３】
請求項２に記載の看板装置であって、
前記四角形の外形は、更に、凹部又は凸部を少なくとも１つ有しており、
前記凹部は、前記四角形の外形を有するように組み合わされた前記動画ブロック及び前記光源ブロックの集合体から、少なくとも１つの前記動画ブロック又は前記光源ブロックを取り除くことにより構成され、
前記凸部は、前記四角形の外形を有するように組み合わされた前記動画ブロック及び前記光源ブロックの集合体に、少なくとも１つの前記動画ブロック又は前記光源ブロックを追加することにより構成される
看板装置。
【請求項４】
請求項１乃至請求項３のいずれかに記載の看板装置であって、
前記動画ブロックの最前端と前記複数の前記光源ブロックの最前端とは、前記前後方向において同じ位置にあるように組み合わされている
看板装置。
【請求項５】
請求項１乃至請求項４のいずれかに記載の看板装置であって、
前記前後方向に沿って見た場合に、前記光源ブロックのそれぞれの上端から下端までの長さ及び左端から右端までの長さは、夫々、動画ブロックの上端から下端までの長さ及び左端から右端までの長さと同一である、
看板装置。
【請求項６】
請求項１乃至請求項５のいずれかに記載の看板装置であって、
前記表示装置は、液晶ディスプレイである
看板装置。
【発明の詳細な説明】
【技術分野】
【０００１】
本発明は、看板装置に関し、特に、看板の一部に広告内容を動画で表示した部分を有する看板装置に関する。
【背景技術】
【０００２】
広告内の一部分を動かすことによりいわゆるアイ・キャッチ効果によって広告への注目度を高めることができる看板装置が提案されている（例えば、特許文献１参照）。特許文献１の看板装置は、看板の一部に市販の液晶ディスプレイを配置し、当該液晶ディスプレイのフレームの前面全体を導光体で覆う構成によって、看板の動画領域と静止画領域と一体化するものである。
【０００３】
また、特許文献２には、複数に分割した光源（導光単位）からなる背面照明装置が提案されている。
【先行技術文献】
【特許文献】
【０００４】
【特許文献１】特開２０１２−１６８２３５号公報
【特許文献２】特開２０１０−１１３１６３号公報
【発明の概要】
【発明が解決しようとする課題】
【０００５】
特許文献１の液晶ディスプレイを看板装置内にて支持・固定しようとした場合、そのための支持部材（支持柱等）の影が看板装置の表面に映ってしまう可能性がある。また、看板装置が大きくなるほど（即ち、液晶ディスプレイが大型になるほど）支持部材等のサイズも大きくなることから、上記の影響は無視できなくなる。
【０００６】
そこで、本発明は、看板における動画領域の配置の自由度を確保しつつ、看板全体として動画領域と静止画領域をより一体化して見せることのできる看板装置を提供することを目的とする。
【課題を解決するための手段】
【０００７】
本発明によれば、第１の看板装置として、表示装置及び発光ユニットを備える動画ブロックと、前方へ発光する光源をそれぞれ備えた複数の光源ブロックとを前後方向と直交する平面上において組合せてなる看板装置であって、
前記表示装置は、動画が表示される表示部と、当該表示部を保持する筐体であって前記前後方向に沿って見た場合に前記表示部の外周部を覆うフレームを有する筐体とを備えており、
前記発光ユニットは、発光ユニット用光源と、当該発光ユニット用光源の光を導く導光体とを有しており、
前記導光体は、前記発光ユニット用光源の光を前記導光体の前面に導くものであり、
前記導光体の前記前面は、前記前後方向において少なくとも前記フレームの前面を覆うように配置されており、
前記前後方向に沿って見た場合に、前記光源ブロックのそれぞれの上端から下端までの長さは、前記動画ブロックの上端から下端までの長さと同一又はｎ倍若しくは１／ｎ倍（ｎは整数）であり、且つ、前記光源ブロックのそれぞれの左端から右端までの長さは、前記動画ブロックの左端から右端までの長さと同一又はｍ倍若しくは１／ｍ倍（ｍは整数）となるように構成されている
看板装置が得られる。
【０００８】
また、本発明によれば、第２の看板装置として、第１の看板装置において、前記前後方向に沿って見た場合に前記看板装置が四角形の外形を有するように、前記動画ブロック及び前記光源ブロックは、組み合わされている
看板装置が得られる。
【０００９】
また、本発明によれば、第３の看板装置として、第１又は第２の看板装置において、前記四角形の外形は、更に、凹部又は凸部を少なくとも１つ有しており、
前記凹部は、前記四角形の外形を有するように組み合わされた前記動画ブロック及び前記光源ブロックの集合体から、少なくとも１つの前記動画ブロック又は前記光源ブロックを取り除くことにより構成され、
前記凸部は、前記四角形の外形を有するように組み合わされた前記動画ブロック及び前記光源ブロックの集合体に、少なくとも１つの前記動画ブロック又は前記光源ブロックを追加することにより構成される
看板装置が得られる。
【００１０】
また、本発明によれば、第４の看板装置として、第１乃至第３のいずれかの看板装置において、前記動画ブロックの最前端と前記複数の前記光源ブロックの最前端とは、前記前後方向において同じ位置にあるように組み合わされている
看板装置が得られる。
【００１１】
また、本発明によれば、第５の看板装置として、第１乃至第４のいずれかの看板装置において、前記前後方向に沿って見た場合に、前記光源ブロックのそれぞれの上端から下端までの長さ及び左端から右端までの長さは、夫々、動画ブロックの上端から下端までの長さ及び左端から右端までの長さと同一である、
看板装置が得られる。
【００１２】
また、本発明によれば、第６の看板装置として、第１乃至第５のいずれかの看板装置において、前記表示装置は、液晶ディスプレイである
看板装置が得られる。
【発明の効果】
【００１３】
本発明によれば、動画ブロックと光源ブロックをブロック塀のように組合せて看板の背面部材を構成したことから、この組み合わせを変更することにより、動画ブロックの位置を容易に変更することができる。また、動画ブロックは光源ブロックにより支持されるため、例えば、動画ブロックを支持するための支持部等の影が看板表面に映ることがない。
【００１４】
また、動画ブロックに含まれる液晶ディスプレイのフレーム前面に導光体を設けることとし、当該フレームの影がプリント原稿に映ることを防ぐことができる。これにより、静止画と動画とをより一体的に表示することが可能となる。
【００１５】
単位ブロック（動画ブロックと光源ブロック）の組み合わせ方法を変更することにより、四角形形状の看板装置はもちろん、特殊な形状（例えば、四角形の角が欠けている形状等）の看板装置を容易に作製することができる。
【図面の簡単な説明】
【００１６】
【図１】本発明の実施の形態による看板装置を示す図である。
【図２】図１の看板装置の分解図である。
【図３】図２の背面部材のＩＩＩ−ＩＩＩ線に沿った断面図である。
【図４】図１の看板装置に用いられる光源ブロックを示す図である。
【図５】図１の看板装置に用いられる動画ブロックを示す図である。
【図６】図５の動画ブロックの分解図である。なお、形状の理解を容易にするため、発光ユニットについては断面斜視図で示している。
【図７】光源ブロック及び動画ブロックの連結手段を示す模式図である。
【図８】固定手段によって連結が固定された光源ブロック及び動画ブロックと、固定手段による固定を解除する治具とを示す図である。
【図９】図２の看板装置の変形例を表す分解図である。
【発明を実施するための形態】
【００１７】
図１及び図２に示されるように、本発明の実施の形態による看板装置１は、プリント原稿２と、背面部材３と、看板筐体４とを備えている。図２から理解されるように、プリント原稿２は背面部材３に貼り付けられ、プリント原稿２の貼り付けられた背面部材３は看板筐体４に保持される。なお、本実施の形態による看板筐体４は、従来の看板装置に使用されているものを使用している。
【００１８】
プリント原稿２は、広告の内容を樹脂からなるシートに印刷したものである。なお、当該シートの素材や厚みについては適宜変更可能である。本実施の形態においては、ＰＥＴ樹脂を用いることとし、プリント原稿２のリサイクルを可能としている。なお、本実施の形態によるプリント原稿２は、図２において点線で示されているように透明領域２ａ及び２ｂを有している（詳しくは後述する）。ここで、透明領域２ａ及び２ｂは、広告が印刷されていない透明な領域である。
【００１９】
図２に示されるように、背面部材３は、複数の光源ブロック１００と、複数の動画ブロック２００とを上下左右方向に（即ち、看板装置の前後方向と直交する平面上において）積み上げるようにして組合せたものである。本実施の形態による背面部材３は、１４個の光源ブロック１００と２個の動画ブロック２００とを縦横４列に（４行４列のマトリクス状に）配列している。また、背面部材３を前後方向に沿って見た場合に、背面部材３が四角形の外形を有するように、光源ブロック１００及び動画ブロック２００は、組み合わされている。この結果、本実施の形態による看板装置１の外形も四角形となる。なお、本実施の形態による背面部材３の行数と列数は同じ（４行４列）であるが、行数と列数は異なっていてもよい。
【００２０】
図３及び図４に示されるように、光源ブロック１００は、前面が開口した四角形の箱形状を有する筐体１２０と、複数の光源１３０とを備えている。各光源１３０は、前後方向において筐体１２０の底に相当する奥面１２２に設けられている。光源ブロック１００は、乳濁色又は白色の樹脂で形成されている。このような色の樹脂で構成することにより、白色の反射効果によって光をより拡散させることができる。図３から理解されるように、本実施の形態による筐体１２０の前端部（即ち、開口部における端部）には傾斜部１２６が形成されている。傾斜部１２６は、筐体１２０の内部に向けてテーパがつけられている。即ち、傾斜部１２６のうち、筐体１２０の外側の端部の方が、筐体１２０の内側の端部よりも前方に位置している。かかる構造により、傾斜部１２６を設けていない筐体を使用した場合に比べて、光源１３０の光をより拡散させることができ、光源１３０の光の明るさを均一化することが可能となる。なお、本実施の形態による光源１３０はＬＥＤを用いているが、光源１３０はこれに限定されない。
【００２１】
図３、図５及び図６に示されるように、動画ブロック２００は、液晶ディスプレイ（表示装置）２１０と、発光ユニット２２０と、筐体２３０とを備えている。図６から理解されるように、動画ブロック２００は、前から発光ユニット２２０、液晶ディスプレイ２１０及び筐体２３０の順に並んでいる。
【００２２】
本実施の形態による液晶ディスプレイ２１０は市販の液晶ディスプレイを用いている。即ち、図３及び図６に示されるように、液晶ディスプレイ２１０は、動画が表示される液晶パネル（表示部）２１６と、当該液晶パネル２１６を保持する筐体２１２とを備えている。ここで、本実施の形態においては、偏光フィルタ、カラーフィルタ及び液晶層を主な構成とする部材を「液晶パネル」と呼ぶ。また、当該液晶パネル、駆動用回路、バックライト及び導光体を主な構成とする部材を「液晶モジュール」と呼ぶ。更に、当該液晶モジュール及びそれを保護する筐体を合わせて「液晶ディスプレイ」と呼ぶ。なお、説明を容易にするために、図面においては、特に「液晶パネル２１６」、「筐体２１２（フレーム２１４）」及び「液晶ディスプレイ２１０」のみ図示し、その他の構成については図示及び説明を省略している。筐体２１２は、看板装置１の前後方向に沿って見た場合に液晶パネル２１６の外周部を覆うフレーム２１４を有している。本実施の形態においては、特に、市販の液晶ディスプレイ（画面サイズが規格化されているもの）を用いることとしていることから、（特殊サイズの液晶ディスプレイを製造する場合に比べ）コストの低減を図ることができる。ただし、本願発明は、特殊サイズの液晶ディスプレイ等の使用を妨げるものではない。
【００２３】
図３及び図６に示されるように、発光ユニット２２０は、前後方向及び上下方向で規定される平面においてＬ字形状の断面を有している。詳しくは、発光ユニット２２０は、発光ユニット用光源２２２と、発光ユニット用光源２２２の光を導く導光体２５０とを有している。導光体２５０は、液晶ディスプレイ２１０のフレーム２１４の前面２１４ａを覆う覆い部２５２と、フレーム２１４の側面２１４ｂを覆うようにして覆い部２５２から後方に伸びる側部２５４とを有している。図３に示されるように、導光体２５０の前面２５６は、前後方向においてフレーム２１４の前面２１４ａの全てを覆うように配置されている。換言すれば、発光ユニット２２０が取り付けられた状態においては、液晶ディスプレイ２１０の前面２１４ａは、導光体２５０の前面２５６からはみ出すことがない。本実施の形態による発光ユニット用光源２２２は、導光体２５０の側部２５４に設けられている。なお、発光ユニット用光源２２２の向きや入射角度については適宜変更可能である。また、本実施の形態においては、発光ユニット用光源２２２は、導光体２５０の側部２５４に埋め込まれているが、導光体２５０とは別体としてもよい。なお、発光ユニット用光源２２２も、ＬＥＤを用いているがこれに限定されない。このような構成によれば、発光ユニット用光源２２２の光は、導光体２５０の内部を通り、前面２５６から放射される。即ち、導光体２５０は、発光ユニット用光源２２２の光を前面２５６へ導く機能を有している。本実施の形態による導光体２５０の形状は、断面略Ｌ字形状のものであったが、発光ユニット用光源２２２の光を前面２５６へ導くことができる形状であれば、どのようなものであってもよい。また、発光ユニット用光源２２２の光をより均一に前面２５６から放射できるように、導光体２５０の形状や、発光ユニット用光源２２２の位置・向きを適宜調整可能である。
【００２４】
筐体２３０は、上述した光源ブロック１００に用いられていた筐体１２０を前後方向に直交する平面で切断し、奥行きを小さくしたものを用いることができる。光源ブロック１００に用いられる筐体１２０を用いることにより、材料コストを低下させることができる。詳しくは、筐体２３０は、光源１３０の配置されていない奥面２３２を有している。また、前端２３６は、光源ブロック１００の筐体１２０を切断する際の切断面に対応する。本実施の形態においては、前端２３６が液晶ディスプレイ２１０の筐体２１２に触れるようにして、液晶ディスプレイ２１０と筐体２１２とが固定される。これにより、発光ユニット２２０、液晶ディスプレイ２１０及び筐体２１２が一体となる。
【００２５】
上述したように、本実施の形態においては、前後方向に沿って見た場合の光源ブロック１００及び動画ブロック２００のサイズ（それぞれのブロックにおける、上端から下端までの長さ及び左端から右端までの長さで規定されるサイズ）は同一である。これにより、前後方向に沿って見た場合に看板装置１（背面部材３）が四角形の外形を有するように、光源ブロック１００及び動画ブロック２００を組合せることができる。本発明においては、動画ブロック２００の液晶ディスプレイ２１０として市販の１０．４インチディスプレイを使用している。従って、動画ブロック２００のサイズ（上端から下端までの長さと、左端から右端までの長さ）は、使用する液晶ディスプレイ２１０まのサイズに依存して決まり、当該動画ブロック２００のサイズに合わせて（本実施の形態の場合は、同一となるように）光源ブロック１００のサイズが決定される。
【００２６】
なお、例えば、光源ブロック１００のサイズを動画ブロック２００のサイズの１／４にしてもよい。この場合、１／４サイズの光源ブロック１００を４つ組合せることにより、動画ブロック２００のサイズと同一にすることができる。このように光源ブロック１００のサイズを動画ブロック２００のサイズよりも小さくすることにより、背面部材３における動画ブロック２００の位置を細かく設定することができる。また、例えば、光源ブロック１００のサイズを動画ブロック２００の４倍としてもよい。これにより、動画ブロック２００が配置される可能性の低い部分を４倍サイズの光源ブロック１００でカバーすることができる。その他、例えば、光源ブロック１００の縦のサイズを動画ブロック２００の２倍とし、且つ、光源ブロック１００の横のサイズを動画ブロック２００の４倍とするように、縦と横の倍率が異なっていてもよい。即ち、最終的に、前後方向に沿って見た場合に看板装置１（背面部材３）が四角形の外形を有するようにできるのであれば、前後方向に沿って見た場合に、光源ブロック１００のそれぞれの上端から下端までの長さを動画ブロック２００の上端から下端までの長さのｎ倍若しくは１／ｎ倍（ｎは整数）とし、且つ、光源ブロック１００のそれぞれの左端から右端までの長さを、動画ブロック２００の左端から右端までの長さのｍ倍若しくは１／ｍ倍（ｍは整数）となるように構成することができる。しかし、動画ブロック２００の移動のしやすさや、さまざまなデザインのプリント原稿へ対応するためには、光源ブロック１００のサイズを動画ブロック２００と同じサイズにする方が好ましい。
【００２７】
本実施の形態においては、プリント原稿２と背面部材３とは、図３に示される接着剤５によって接着される。接着剤５は、光源ブロック１００の傾斜部１２６及び動画ブロック２００の前面２５６に載せられ、この状態でプリント原稿２を背面部材３に押しつけることによってプリント原稿２と背面部材３とは接着される。なお、このように背面部材３の最も前端である部分（光源ブロック１００の傾斜部１２６及び動画ブロック２００の前面２５６）に接着剤５を設けることとすれば、前後方向において、プリント原稿２と背面部材３との間には少なからず接着剤５が存在することとなる。換言すれば、プリント原稿２と背面部材３とが直接触れることを防ぐことができる。これにより、光源ブロック１００の傾斜部１２６及び動画ブロック２００の前面２５６の影がプリント原稿２に映りこむことを防ぐことができる。なお、本実施の形態においては、動画ブロック２００の最前端（導光体２５０の前面２５６）と複数の光源ブロック１００の最前端（傾斜部１２６の前端）とは、前後方向において同じ位置にあるように組み合わされている。これにより、プリント原稿２を平らな状態で貼り付けることができる。
【００２８】
図２に示されるように、プリント原稿２は、背面部材３を前から見た場合に、左側に位置する動画ブロック２００ａに対応する透明領域２ａと、右側に位置する動画ブロック２００ｂに対応する透明領域２ｂとを有している。これにより、プリント原稿２が背面部材３に接着された状態においては、図１に示されるように、左側動画ブロック２００ａに表示されるカニの「動く目」の部分と、右側動画ブロック２００ｂに表示される「変化する文字列」とが、透明領域２ａ及び２ｂの夫々を通して見ることができる。その結果、看板装置１を前から見た場合には、「目の動くカニ」及び「変化する文字列」と、静止画（ふ凛と原稿２に描かれている得及び文字等）とが一体となって表示される。なお、上述したように、液晶ディスプレイ２１０のフレーム２１４（筐体２１２）は樹脂等で作られていることが一般的であり、発光しない部分である。本実施の形態による発光ユニット２２０を用いない場合、フレーム２１４のような発光しない部分は、プリント原稿２上に影となって表示されてしまう。しかし、本発明においては、当該発光しないフレーム２１４の前面２１４ａを、発光する導光体２５０（の前面２５６）が覆っていることから、フレーム２１４の影がプリント原稿２上に映ることを防止できる。
【００２９】
光源ブロック１００及び動画ブロック２００は、例えば、図７に示される連結手段３００によって連結、位置関係を固定することとしてもよい。以下において、「ブロック１００’」は、光源ブロック１００及び動画ブロック２００のいずれでもよいものとして説明を続ける。連結手段３００は、凸部３０２と、凹部３０４とを備えている。連結手段３００は、各ブロック１００’の４つの側面に設けることによって、これらブロック１００’を上下左右に連結することができる。これにより、上下左右方向（Ｚ方向及びＸ方向）においてブロック１００’が崩れることがない。本実施の形態による連結手段３００は、ブロック１００’の後端から前方に向けて伸びるように形成されおり、且つ、前端とは連続していない。従って、ブロック１００’を後方へ向けて引き抜くことはできない。即ち、例えば、ブロック１００’を移動する際には、移動したいブロック１００’のみを前方へ引き抜くことができる。その際、他のブロック１００’は連結手段３００によって互いに連結・固定されていることから、ブロック１００’が崩れることがない。
【００３０】
上述したように、プリント原稿２と、背面部材３とは接着剤５で接着され、固定されている。しかし、ブロック１００’が意図せず前方にずれてしまわないように、更に、図８に示されるような固定手段４００を設けることしてもよい。固定手段４００は、上側爪４０２及び下側爪４０４を有する断面略コの字状（鎹状）のものである。上側爪４０２及び下側爪４０４には、夫々外側に向けて「返し」がつけられている。図８から理解されるように、固定手段４００は、ブロック１００’のうち奥面１２２’に形成された孔から挿入される、図８から理解されるように、ブロック１００’を前方に引き抜こうとすると、固定手段４００の上側爪４０２及び下側爪４０４に設けられた「返し」の部分が引っかかり、ブロック１００’を前方へ引き抜くことができない。従って、上述した連結手段３００に加えて固定手段４００を用いることとすれば、ブロック１００’の上下左右前後（Ｚ方向、Ｘ方向及びＹ方向）の全ての方向における位置ずれを防ぐことができる。固定手段４００による固定は、図８に示されているような略Ｔ字状の治具４１０を用いることによって解除することができる。治具４１０は、Ｔ字の縦棒に相当する柄４１２と、Ｔ字の横棒に相当する解除部４１４とを有している。解除部４１４の両端には当該解除部４１４から突出した押圧部４１６が設けられている。図８から理解されるように、治具４１０を操作して、押圧部４１６で図８の上側に位置する固定手段４００の下側爪４０４と、下側に位置する固定手段４００の上側爪４０２とを押圧する。押圧された上側爪４０２及び下側爪４０４はそれぞれ内側に向けて変形する。ブロック１００’の奥面１２２’に設けられた孔の大きさは、「返し」部分を含めた上側爪４０２及び下側爪４０４の上下方向における大きさよりも大きいため、押圧された上側爪４０２及び下側爪４０４は、ブロック１００’の後方へ外れる。この状態でブロック１００’を前に引けば、当該ブロック１００’のみ引き抜くことができる。
【００３１】
図２において説明した背面部材３の外形は四角形であったが、プリント原稿２の形状（即ち、看板装置１の形状）に応じて、背面部材は、例えば、図９に示されるような外形を有していてもよい。図９に示されるプリント原稿２’は右上及び左上の一部を欠いた形状を有している。これに対応して、背面部材３’は、図２に示される背面部材３の最上段の右端及び左端の光源ブロック１００を取り除いた形状を有している。なお、その他の構成は、図２に示された背面部材３及びプリント原稿２と同様とすることができる。図９に示される背面部材３’は、最上段の右端及び左端の光源ブロック１００を取り除いた四角形状、即ち、２か所の凹部を有する四角形状であるが、例えば、図２に示される背面部材３に光源ブロックを１つ以上追加して、凸部を有する四角形状としてもよい。更に、プリント原稿の形状や、看板装置の設置環境（設置スペースの形状等）に応じて、凹部及び凸部の両方を有する四角形状の背面部材としてもよい。このように、本実施の形態による背面部材３を用いることとすれば、光源ブロック又は動画ブロックを自由に組合せることができることから、四角形の形状を有しないプリント原稿を表示する看板装置を容易に作製することが可能となる。
【符号の説明】
【００３２】
１        看板装置
２、２’        プリント原稿
２ａ、２ｂ        透明領域
３、３’        背面部材
４        看板筐体
５        接着剤
１００        光源ブロック
１００’        ブロック（光源ブロック及び動画ブロック）
１２０        筐体
１２２、１２２’        奥面
１２６        傾斜部
１３０        光源
２００、２００ａ、２００ｂ        動画ブロック
２１０        液晶ディスプレイ（表示装置）
２１２        筐体
２１４        フレーム
２１４ａ        前面
２１４ｂ        側面
２１６        液晶パネル（表示部）
２２０        発光ユニット
２２２        発光ユニット用光源
２３０        筐体
２３２        奥面
２３６        前端
２５０        導光体
２５２        覆い部
２５４        側部
２５６        前面
３００        連結手段
３０２        凸部
３０４        凹部
４００        固定手段
４０２        上側爪
４０４        下側爪
４１０        治具
４１２        柄
４１４        解除部
４１６        押圧部
【図１】
2014203030.tif 000003
【図２】
2014203030.tif 000004
【図３】
2014203030.tif 000005
【図４】
2014203030.tif 000006
【図５】
2014203030.tif 000007
【図６】
2014203030.tif 000008
【図７】
2014203030.tif 000009
【図８】
2014203030.tif 000010
【図９】
2014203030.tif 000011